(57)【特許請求の範囲】
【請求項１】
ホッチキス本体にカートリッジ収容部を形成し、このカートリッジ収容部に摺動自在に設けられたカートリッジガイドの内側にステープル用カートリッジを挿入してカートリッジ収容部内に押し込んで装着し、カートリッジガイドとともにカートリッジを取り外すようにした電動ホッチキスにおけるカートリッジの脱着機構であって、
上記カートリッジ収容部内には上記カートリッジガイドを上記カートリッジ収容部から飛び出す方向に付勢するバネを設け、
上記カートリッジ収容部の側壁には脱着レバーを回動自在に設け、脱着レバーの回動軸にカムを固定し、このカムを、上記バネのバネ力に抗してカートリッジ収容部内に押し込まれたカートリッジガイドに係合させるとともに、上記側壁には上記脱着レバーの回動方向側に指掛け片を対向して固定し、
脱着レバーを指掛け片に向けて回動させて上記カムによる係合を解除し、上記バネのバネ力により上記カートリッジガイドとともにカートリッジをカートリッジ収容部から飛び出させる
ことを特徴とする電動ホッチキスにおけるカートリッジの脱着機構。
【発明の詳細な説明】
【０００１】
【発明の属する技術分野】
本発明はステープルを充填したカートリッジをホッチキス本体に脱着するための電動ホッチキスにおけるカートリッジの脱着機構に関する。
【０００２】
【従来技術】
一般に、電動ホッチキスは、ステープルを充填したカートリッジを着脱自在とし、カートリッジ内のステープルが消費されるとカートリッジを新しいものに交換するように構成されている。
【０００３】
ところで、電動ホッチキスを単体として取り扱うときは問題ないが、複写機等の機械装置の内部に組み込まれる場合には、ホッチキス本体から直接カートリッジを引き抜いて外すタイプ、あるいはホッチキス本体に脱着レバーを設け、この脱着レバーを回動操作することによってホッチキス本体に装着されたカートリッジを外すことができるように構成されている。カートリッジを装着するときは、所定の位置に押し込むことにより自動的に係止手段に係着されてセットされる。
【０００４】
【発明が解決しようとする課題】
しかしながら、複写機等の機械装置に組み込まれている場合、カートリッジの取り付け、取り外し操作ができる空間は非常に限られたスペースとなるのが普通である。したがって、狭い空間に手を入れて脱着レバーを回動操作するのは、力を入れにくく、また指１本で回動するのは不安定であるから、特に女性が操作するのは非常に面倒であった。
【０００５】
本発明は上記問題点を解消し、狭い空間であっても簡単かつ確実に操作することができる電動ホッチキスにおけるカートリッジの脱着機構を提供することをその課題とする。
【０００６】
【課題を解決するための手段】
前記課題を解決するため、本発明に係る電動ホッチキスにおけるカートリッジの脱着機構は、ホッチキス本体にカートリッジ収容部を形成し、このカートリッジ収容部に摺動自在に設けられたカートリッジガイドの内側にステープル用カートリッジを挿入してカートリッジ収容部内に押し込んで装着し、カートリッジガイドとともにカートリッジを取り外すようにした電動ホッチキスにおけるカートリッジの脱着機構であって、上記カートリッジ収容部内には上記カートリッジガイドを上記カートリッジ収容部から飛び出す方向に付勢するバネを設け、上記カートリッジ収容部の側壁には脱着レバーを回動自在に設け、脱着レバーの回動軸にカムを固定し、このカムを、上記バネのバネ力に抗してカートリッジ収容部内に押し込まれたカートリッジガイドに係合させるとともに、上記側壁には上記脱着レバーの回動方向側に指掛け片を対向して固定し、脱着レバーを指掛け片に向けて回動させて上記カムによる係合を解除し、上記バネのバネ力により上記カートリッジガイドとともにカートリッジをカートリッジ収容部から飛び出させることを特徴とする。
【０００７】
【発明の実施の形態】
図１は電動ホッチキスの脱着機構を示すもので、同図において符号１は電動ホッチキスのホッチキス本体を示す。このホッチキス本体１は複写機等の別装置２の一部に固定されている。ホッチキス本体１の後端部にはカートリッジ収容部３３があり、このカートリッジ収容部３の後方には開口部４が形成され、この開口部４からカートリッジ５が脱着されるように構成されている。なお、別装置２には上記のほかにも上記電動ホッチキスの周囲に他の部材が配置され（図示せず）、開口部４の周辺にはカートリッジ５を差し込むに足りる程度の空間しかないものとする。
【０００８】
カートリッジ５は真直のステープル材を連結してシート状に形成したシート状ステープル６を多段に積層収納する収納部５ａと、最下段のシート状ステープル６を前方に案内供給するガイド部５ｂとを備えている。収納部５ａの上端には左右に１対の略三角形状の係合突部７が形成されている。収納部５ａの後端部にはカートリッジ５を押し引きするのに便利なコ字形部材８が取り付けられている。
【０００９】
ホッチキス本体１のカートリッジ収容部３の側壁３ａの上端間には係合軸１０が設けられている。この係合軸１０は下方にバネ付勢されている。また、係合軸１０の下方に脱着レバー１１が回動自在に設けられている。脱着レバー１１の回動軸１２にはカム１３が固定され、カム１３はカートリッジ収容部３内に配置されている。カム１３の先端には軸１４が固定されている。また、上記側壁３ａの脱着レバー１１の回動方向側には指掛け片１５が対向して固定されている。
【００１０】
また、カートリッジ収容部３の内部にはカートリッジガイド２０が前後に摺動自在に配置され、図２に示されるように、バネ２１によって常時ホッチキス本体から突出する方向に付勢されている。そして、カートリッジガイド２０の両側壁の中央上部には係合溝９が形成され、この係合溝９には脱着レバー１１のカム１３の軸１４が係合している。
【００１１】
上記構成において、カートリッジ５をホッチキス本体１に装着するときは、カートリッジガイド２０の内側に挿入するようにして押し込む。カートリッジ５とカートリッジガイド２０とが収容部３内に押し込まれると、脱着レバー１１が上方に回動するとともに、カートリッジ５の係合突部７がカートリッジ収容部３の側壁３ａ間に設けられた係合軸１０に係合するが、さらに強く押し込むことにより係合突部７が係合軸１０を押し上げ、図２に示すようにその下を潜ってその内側の所定位置まで進入する。進入後、バネあるいは周辺の部材の弾性等によりカートリッジ５は後方に押し戻されるように力を受けるが、係合突部７と係合軸１０とが係合してカートリッジ５が後方に移動するのが阻止される。こうしてカートリッジ５は所定位置に安定した状態で装着される。
【００１２】
次に、電動ホッチキスは図５に示されるように、ホッチキス本体１とこれに対設されたクリンチャ１６とを備え、ホッチキス本体１にカートリッジ５が装着されたときに、カートリッジ５内の最下段のシート状ステープル６はホッチキス本体１に設けられた送り手段１７に当接し、送り手段１７により前方に送り出されるようになっている。そして、前端に供給されたステープル６ａはホッチキス本体１の機構によりコ字形に成形された後、ドライバ１８によって打ち出され、被綴り材１９を貫通してクリンチャ１５で折り曲げられ、綴り作動が完了するものである。なお、このような電動ホッチキスの綴り作動機構は公知であり、詳細は省略する。
【００１３】
カートリッジ５内のシート状ステープル６が消費されると、カートリッジ５を交換する必要がある。この場合は、図３のように脱着レバー１１を下方に回動させる。これにより、カートリッジ５の係合突部７とホッチキス本体１の係合軸１０との係合が外れ、さらにカム１３の軸１４がカートリッジガイド２０の係合溝９に係合したまま後方に移動するので、図４のようにカートリッジ５はカートリッジ収容部３から後方に押し出される。これを抜き出し、新しいカートリッジ５を上述と同じ要領で装着すればよい。
【００１４】
脱着レバー１１を回動操作する場合、脱着レバー１１と指掛け片１５にそれぞれ指を掛け、これを挟むように動かして脱着レバー１１を回動させることにより、脱着に必要な荷重は変わらないが、補助レバー（指掛け片）を設けることによって、余分な力を使うことなく回動方向への荷重を効率的に伝えられる。したがって、狭い空間であっても簡単かつ確実にカートリッジの取り外し操作をすることができる。
【００１５】
さらに、脱着レバー１１をあまり強く回動操作すると、カートリッジ５が急激に後方に飛び出して脱落することがあるが、脱着レバー１１は指掛け片１５を越えて回動するようにし、カートリッジガイド２０のバネ２１の荷重等を調整することによってカートリッジ５の脱落も有効に防止することができる。
【００１６】
なお、指掛け片１５は脱着レバー１１の外し時の回動方向側に設ければよく、カートリッジ５に取り付ける必要はない。電動ホッチキスを装着する別装置側に設けてもよい。
【図面の簡単な説明】
【図１】本発明に係る電動ホッチキスのカートリッジ脱着機構の要部の斜視図
【図２】カートリッジ装着時の概要説明図
【図３】カートリッジ取り外し開始時の脱着レバーの回動態様説明図
【図４】カートリッジ取り外し終了時の説明図
【図５】電動ホッチキスの作動態様を簡単に示した説明図
【符号の説明】
１  ホッチキス本体
３  カートリッジ収容部
５  カートリッジ
１１  脱着レバー
１５  指掛け片
【図１】
0003598767.tif 000002
【図２】
0003598767.tif 000003
【図３】
0003598767.tif 000004
【図４】
0003598767.tif 000005
【図５】
0003598767.tif 000006